(57)【特許請求の範囲】
【請求項１】
共通ハウジングに統合されているパーソナルデータアシスタント（ＰＤＡ）ユニットとワイヤレス電話機とを含む統合された電子装置により消費される電力を減少させ、共通ハウジング上の共通ディスプレイを使用してＰＤＡとワイヤレス電話機の両方からのメッセージをユーザに表示するシステムにおいて、
ワイヤレス電話機に結合され、ワイヤレス電話機上の音声トラフィックアクティビィティの停止に続く予め定められた時間期間の終了後にワイヤレス電話機を電源オフ状態にする制御装置を具備し、
ワイヤレス電話機はワイヤレス電話機が電源オフ状態のときに着呼を受信することができず、
制御装置は、電源オフ状態の動作中に、ワイヤレス電話機でユーザが発呼しようと始めた場合に、ワイヤレス電話機を電源オフ状態から電源オン状態にスイッチし、
ＰＤＡは、ワイヤレス電話機が電源オフ状態のときに、ディスプレイを通してユーザから情報を受け取り、ディスプレイ上でユーザに情報を表示するように動作可能であるシステム。
【請求項２】
ワイヤレス電話機には、ワイヤレス電話機が電源オフ状態のときに到来ページを受信することができないペイジャーが含まれている請求項１記載のシステム。
【請求項３】
先の電源オフ状態から現在の電源オン状態への移行時に、先の電源オン状態の停止と現在の電源オン状態の開始との間にワイヤレス電話機に送られたページを表す情報がユーザに提供される請求項２記載のシステム。
【請求項４】
予め定められた時間期間は、３０分、６０分および１２０分から構成されるグループから選択される請求項３記載のシステム。
【請求項５】
予め定められた時間期間はユーザにより選択可能である請求項４記載のシステム。
【請求項６】
ＰＤＡはＰＤＡ上のアクティビィティの停止に続く第２の予め定められた時間期間の後にＰＤＡと関係するオペレーティングシステムにより呼び出されるスリープモードを持つ請求項１記載のシステム。
【請求項７】
第２の予め定められた時間期間はユーザにより選択可能であある請求項６記載のシステム。
【請求項８】
共通ハウジングに統合されているパーソナルデータアシスタント（ＰＤＡ）ユニットとワイヤレス電話機とを含む統合された電子装置により消費される電力を減少させ、共通ハウジング上の共通ディスプレイを使用してＰＤＡとワイヤレス電話機の両方からのメッセージをユーザに表示する方法において、
ワイヤレス電話機上の音声トラフィックアクティビィティの停止に続く予め定められた時間期間の終了後にワイヤレス電話機を電源オフ状態にし、
電源オフ状態の動作中に、ワイヤレス電話機でユーザが発呼しようと始めた場合に、ワイヤレス電話機を電源オフ状態から電源オン状態にスイッチするステップを含み、
ワイヤレス電話機はワイヤレス電話機が電源オフ状態のときに着呼を受信することができず、
ＰＤＡは、ワイヤレス電話機が電源オフ状態のときに、ディスプレイを通してユーザから情報を受け取り、ディスプレイ上でユーザに情報を表示するように動作可能である方法。
【請求項９】
共通ハウジングに統合されているパーソナルデータアシスタント（ＰＤＡ）ユニットとワイヤレス電話機とを含む統合された電子装置により消費される電力を減少させ、共通ハウジング上の共通ディスプレイを使用してＰＤＡとワイヤレス電話機の両方からのメッセージをユーザに表示する装置において、
ワイヤレス電話機上の音声トラフィックアクティビィティの停止に続く予め定められた時間期間の終了後にワイヤレス電話機を電源オフ状態にする手段と、
電源オフ状態の動作中に、ワイヤレス電話機でユーザが発呼しようと始めた場合に、ワイヤレス電話機を電源オフ状態から電源オン状態にスイッチする手段とを具備し、
ワイヤレス電話機はワイヤレス電話機が電源オフ状態のときに着呼を受信することができず、
ＰＤＡは、ワイヤレス電話機が電源オフ状態のときに、ディスプレイを通してユーザから情報を受け取り、ディスプレイ上でユーザに情報を表示するように動作可能である装置。
【発明の詳細な説明】
【０００１】
【発明の属する技術分野】
本発明は一般的にワイヤレス電話機を含むポータブル電子装置に関する。特に、本発明はワイヤレス電話機と共通のハウジングに統合されているパーソナルデータアシスタント（ＰＤＡ）を含む統合電子装置での電力消費を減少させる方法に関する。
【０００２】
【従来の技術】
パーソナルデータアシスタント（すなわちＰＤＡ）は技術的によく知られている。特に、これらの装置は、ユーザの手に合うような大きさにされているコンピュータ上で、ユーザがパーソナルスケジュールプログラム、アドレス帳、ゲーム、およびノートパッドプログラムのような多くのアプリケーションを実行できるようにする。これらの装置はまたオープンオペレーティングプラットフォームを含んでいてもよく、ユーザがＰＤＡ自体をプログラミングまたは構成できるようにする。
【０００３】
ワイヤレス電話機も技術的によく知られている。このような装置は一般的にセルラまたはＰＣＳ帯域で動作し、ワイヤレス電話機と基地局との間の通信のためにコード分割多元接続または時分割多元接続のような技術を使用する。ワイヤレス電話機の中には電話機ユニット内に統合されているペイジャーを含むものもある。これらのユニットでは、テキストメッセージや、逸した通話表示メッセージのような他のメッセージが基地局からペイジャーで受信され、電話ディスプレイ上でユーザに対して表示される。
【０００４】
バッテリ電力を節約するために、ワイヤレス電話機の中には、アクティブ音声トラフィックがワイヤレス電話機と基地局との間で送信されていないときに“スタンバイ”モードで機能するものもある。スタンバイモード中では、ワイヤレス電話機中の受信機は、例えばページングチャネルのようなチャネルを監視し、このチャネルは着呼をワイヤレス電話機に信号で知らせるのに使用されるものである。着呼を受信した（あるいはユーザによる発呼の開始の）ときに、ワイヤレス電話機はスタンバイモードを出て、電話機と基地局との間の音声トラフィックをサポートするのに必要な機能を起動する。重要なことは、アクティブ音声通信がワイヤレス電話機でサポートされているときよりもスタンバイモードではさらにゆっくりと電力が使用されるものの、スタンバイモード中に、ワイヤレス電話機は依然としてバッテリ電力（これは特にページングチャネルを監視するために使用される）を消費していることである。
【０００５】
現在では、ＰＤＡとワイヤレス電話機は単一の統合ユニットとしてユーザに提供されている。これらの製品では、ＰＤＡとワイヤレス電話機は単一のハウジングに配置され、ユーザとのコミュニケーションのために共通のディスプレイ（例えばＬＣＤディスプレイ）を使用する。さらに、このようなユニットでは、ＰＤＡのオープンオペレーティングプラットフォームを使用してユーザがワイヤレス電話機をプログラミングできるようにワイヤレス電話機とＰＤＡが構成されている。これらのユニットでは、ＰＤＡとワイヤレス電話機は、データ例えばファックスやデータ情報をＰＤＡとワイヤレス電話機との間で送ることができるように一般的に構成されている。ＰＤＡとワイヤレス電話機の両方を統合されたユニットとして含む現在の製品には、クゥアルコム社により販売されるＰＤＱ８００およびＰＤＱ１９００ユニットが含まれる。
【０００６】
ＰＤＡとワイヤレス電話機の組み合わせを含む既存のユニットについての１つの問題はバッテリ寿命の節約である。ＰＤＡとワイヤレス電話機の両方に電力を供給するために単一のバッテリが典型的に使用されるとすると、バッテリにおける電力需要は重要である。
【０００７】
このようなシステムにおけるバッテリ電力を節約するシステムを提供し、ユニットバッテリ寿命を延長し、このようなユニットに電力を供給するのに使用されるバッテリの再充電に対する必要性を最小にすることが本発明の目的である。
【０００８】
本発明は統合された電子装置により消費される電力を減少させるシステムおよび方法に向けられている。装置には共通のハウジングに統合されているパーソナルデータアシスタント（ＰＤＡ）ユニットとワイヤレス電話機が含まれる。ハウジング上の共通のディスプレイを使用して、ＰＤＡおよびワイヤレス電話機の両方からのメッセージをユーザに表示する。ワイヤレス電話機に結合された制御装置が、ワイヤレス電話機における音声トラフィックアクティビィティの停止に続く予め定められた時間期間の終了後にワイヤレス電話機を電源オフ状態にする。制御装置は、電源オフ状態の動作中に、ユーザがワイヤレス電話機で発呼をしようと始めた場合に、電源オフ状態から電源オン状態にワイヤレス電話機をスイッチする。ワイヤレス電話機は電源オフ状態のときに、着呼を受信することができない。しかしながら、ワイヤレス電話機が電源オフ状態にあるときに、ＰＤＡはディスプレイを通してユーザから情報を受け取り、ディスプレイ上にユーザへの情報を表示するように動作する。
【０００９】
別の観点にしたがうと、ワイヤレス電話機には、ワイヤレス電話機が電源オフ状態にあるときに到来ページを受信できないペイジャーが含まれている。この実施形態では、先の電源オフ状態から現在の電源オン状態に移るとき、先の電源オン状態の停止と現在の電源オン状態の開始との間にワイヤレス電話機に送信されたページを表す情報がユーザに提供される。
【００１０】
特に好ましい実施形態では、電源オフ状態の開始のために使用される予め定められた時間期間はユーザが選択可能であり、３０分、６０分および１２０分のいずれかであってもよい。代わりに、ワイヤレス電話機で電源オフ機能を起動させないオプションがユーザに与えられる。
【００１１】
ＰＤＡはワイヤレス電話機の現在の状態（例えば電源オフ状態または電源オン状態）とは無関係に呼び出される自分自身のスリープモードを持つことが好ましい。１つの実施形態では、ＰＤＡはＰＤＡ上でのアクティビィティの停止に続く予め定められた時間期間の後にＰＤＡに関係するオペレーティングシステムにより呼び出されるスリープモードを持つ。スリープモードを呼び出すために使用される予め定められた時間期間はユーザ選択可能であることが好ましく、１つの実施形態では、１、２、３、５または１５分のいずれかであってもよい。代わりに、ＰＤＡ上でスリープ機能を起動させないオプションがユーザに与えられる。
【００１２】
本発明の特徴、目的および効果は同じ参照符号が対応した要素を識別している図面とともに以下に記述された詳細な説明からさらに明らかになるであろう。
【００１３】
【発明の実施の形態】
図１を参照すると、本発明の好ましい実施形態にしたがった、ＰＤＡ２０とワイヤレス電話機３０を含む統合された電子装置１０のブロック図が示めされている。ＰＤＡ２０とワイヤレス電話機３０は（示されていない）共通ハウジングに統合されている。ハウジング上の共通ディスプレイ４０を使用してＰＤＡとワイヤレス電話機の両方からのメッセージをユーザに表示する。ユーザはディスプレイ４０を使用してＰＤＡに情報を入力し、ハウジング上に設けられているキーパッド５０を使用してワイヤレス電話機に情報を入力する。ワイヤレス電話機に結合されている制御装置３２は、ワイヤレス電話機３０上の音声トラフィックアクティビィティ（すなわち、ワイヤレス電話機と基地局との間のアクティブ音声通信）の停止に続く（タイマ３４により定められる）予め定められた時間期間の終了後にワイヤレス電話機を電源オフ状態にする。電源オフ状態では、ワイヤレス電話機３０を動作させるために使用されるいかなる構成部品にもバッテリ電力は供給されない。したがって、先に説明した“スタンバイ”モードと対照的に、電話機が電源オフ状態のときに、ワイヤレス電話機３０によりページングチャネルは監視されない。したがって、ワイヤレス電話機３０はワイヤレス電話機３０が電源オフ状態にあるときに着呼を受信することができない。しかしながら、ＰＤＡ２０はワイヤレス電話機３０が電源オフ状態にあるときに、ディスプレイ４０を通してユーザから情報を受信し、ディスプレイ４０上でユーザに情報を表示するように動作可能である。
【００１４】
制御装置３２は、電源オフ状態の動作中に、ユーザがワイヤレス電話機で発呼をしようと始めた場合に、電源オフ状態から電源オン状態にワイヤレス電話機３０をスイッチする。ある実施形態では、電源オン状態へのこの移行は、例えばユーザが電話番号をキーパッド５０に入力し始めた場合に、あるいは番号を入力した後またはキーパッド５０上の（示されていない）送信キーを押下することによりメモリから番号を再呼び出しした後にユーザが電話をかけようとした場合に生じる。ワイヤレス電話機３０に関係する他のユーザアクティビィティを使用して電源オフ状態から電源オン状態への移行をトリガすることができることを当業者は理解するであろう。
【００１５】
特に好ましい実施形態では、ワイヤレス電話機３０はペイジャーを含み、このペイジャーはワイヤレス電話機３０が電源オフ状態にあるときに到来ページを受信することができない。この実施形態では、先の電源オフ状態から現在の電源オン状態に移行時に、先の電源オン状態の停止と現在の電源オン状態の開始との間にワイヤレス電話機に送られたページを表す情報がユーザに提供される。
【００１６】
特に好ましい実施形態では、電源オフ状態の開始のために使用される予め定められた時間期間はユーザ選択可能であり、ＰＤＡ２０上のオペレーティングシステム２２を通してユーザによりプログラム可能である。１つの実施形態では、オペレーティングシステム２２は、３０分、６０分および１２０分のいずれかで、音声アクティビィティの停止に続く電源オフ状態の開始のために使用される時間期間を設定するオプションをユーザに与える。代わりに、オペレーティングシステム２２はワイヤレス電話機３０上で電源オフ機能を起動させないオプションをユーザに与えてもよい。
【００１７】
ＰＤＡ２０はワイヤレス電話機３０の現在の状態（例えば電源オフ状態または電源オン状態）とは無関係に呼び出される自分自身のスリープモードを持つことが好ましい。１つの実施形態では、ＰＤＡ２０はＰＤＡ２０上でのアクティビィティの停止に続く予め定められた時間期間後にオペレーティングシステム２２により呼び出されるスリープモードを持つ。スリープモードを呼び出すのに使用される予め定められた時間期間はユーザ選択可能であり、１つの実施形態では、１、２、３、５または１５分のいずれかであってもよい。代わりに、ＰＤＡ２０上でスリープモードを起動させないオプションがユーザに与えられる。スリープモードでは、電力はＰＤＡ中のＰＤＡタイマのみに与えられ、ＰＤＡに関係する残りの構成部品には電力は与えられない。ＰＤＡは例えばユーザがディスプレイ４０を通してＰＤＡ２０にコマンドを入力しようとしたときにそのスリープモードから起こされる。
【００１８】
次に図２を参照すると、電子装置１０に本発明の電力節約システムを実現するための方法１００のフローチャートが示されている。ステップ２１０では、制御装置３２はワイヤレス電話機３０上の音声アクティビィティの停止を待っている。ワイヤレス電話機３０上の音声トラフィックアクティビィティの停止に続いて、ステップ２２０において、制御装置３２はタイマ３４をリセットする。ステップ２３０では、制御装置はワイヤレス電話機３０上の別の何らかの音声トラフィックアクティビィティの再開前にタイマが終了したか否か（すなわち、電源オフ状態を呼び出すのに必要な、音声トラフィックアクティビィティの停止に続く予め定められた時間期間にタイマが到達したか否か）を決定する。ステップ２２０でタイマ３４がリセットされた時間とタイマ３４の終了の間に別の音声トラフィックアクティビィティが生じた場合には、プロセスはステップ２１０に戻り、制御装置は音声トラフィックアクティビィティの停止を示すイベントを再度待つ。代わりに、ステップ２２０でタイマ３４がリセットされた時間とタイマ３４の終了の間に音声トラフィックアクティビィティが生じなかった場合には、ステップ２４０において、制御装置３２はワイヤレス電話機３０を電源オフモードにする。
【００１９】
ステップ２４０において、いったんワイヤレス電話機３０が電源オフモードにされると、ステップ２５０において、ユーザが電話番号をキーパッド５０に入力し始めるまで、ユーザが番号を入力した後にまたはキーパッド５０上の（示されていない）送信キーを押下することによりメモリから番号を再呼び出しした後に電話をかけようとするまで、あるいは先に説明したような、電源オフ状態から電源オン状態への移行をトリガするのに使用されるワイヤレス電話機３０と関係する他の何らかのユーザアクティビィティが生じるまで、システムは待つ。このようなイベントが生じたとき、ステップ２６０において、ワイヤレス電話機３０は電源オンモードにされる。このモードでは、ワイヤレス電話機は着呼を受信することができ、発呼することができ、オプション的にページを受信することができる。特に好ましい実施形態では、ステップ２７０において、ステップ２４０とステップ２６０との間にワイヤレス電話機３０に送られる何らかのページを表す情報がユーザに提供される。ステップ２７０の後に、システムはステップ２１０に戻り、制御装置３２はワイヤレス電話機３０上の音声アクティビィティの停止を待つ。
【００２０】
好ましい実施形態の先の説明は当業者が本発明を作りまたは使用できるように提供されている。先に説明した実施形態のさまざまな修正は当業者に容易に明らかになり、ここに規定されている一般的な原理は発明能力を使用することなく他の実施形態に適用してもよい。したがって、本発明はここに示されている方法および装置に限定されることを意図しておらず、特許請求の範囲と矛盾しない最も広い範囲にしたがうべきである。
【図面の簡単な説明】
【図１】  図１は、本発明の好ましい実施形態にしたがった、ＰＤＡとワイヤレス電話機を含む統合された電子装置の構成部品を示すブロック図である。
【図２】  図２は、図１に示されているポータブル電子装置に本発明の電力節約システムを実現するための方法を示しているフローチャートである。
【図１】
0004559010.tif 000002
【図２】
0004559010.tif 000003